(57)【要約】  密閉型冷媒圧縮機（１００）は、密閉容器（１０１）内に収容され、冷媒を圧縮する圧縮要素（１０７）と、当該圧縮要素（１０７）を駆動する電動要素（１０６）とを備える。密閉容器（１０１）内には潤滑油（１０３）が貯留されている。潤滑油（１０３）は、少なくとも鉱油および合成油で構成される混合油である。さらに、この潤滑油（１０３）は、４０℃での動粘度が０．１ｍｍ2 ／ｓ〜５．１ｍｍ2 ／ｓの範囲内であり、かつ、引火点が１１０℃以上である。
2018199204.tif 000002
【特許請求の範囲】
【請求項１】
密閉容器内に収容され、冷媒を圧縮する圧縮要素と、当該圧縮要素を駆動する電動要素とを備え、前記密閉容器内には潤滑油が貯留され、
前記潤滑油は、少なくとも鉱油および合成油で構成される混合油であるとともに、
４０℃での動粘度が０．１ｍｍ2 ／ｓ〜５．１ｍｍ2 ／ｓの範囲内であり、かつ、引火点が１１０℃以上であることを特徴とする、
密閉型冷媒圧縮機。
【請求項２】
前記潤滑油における前記合成油の含有量は、前記潤滑油全量の０．１〜４０．０重量％の範囲内であることを特徴とする、
請求項１に記載の密閉型冷媒圧縮機。
【請求項３】
前記合成油は、エステル油、エーテル油、ポリアルキレングリコール油、およびアルキルベンゼン油からなる群より選択される少なくともいずれか１種であることを特徴とする、
請求項１または２に記載の密閉型冷媒圧縮機。
【請求項４】
前記潤滑油には、さらに、極圧添加剤、油性剤、消泡剤および安定剤の少なくともいずれかの添加剤が添加されていることを特徴とする、
請求項１から３のいずれか１項に記載の密閉型冷媒圧縮機。
【請求項５】
前記添加剤の含有量は、前記潤滑油全量の０．１〜４．０重量％の範囲内であることを特徴とする、
請求項４に記載の密閉型冷媒圧縮機。
【請求項６】
前記潤滑油は、蒸留範囲が２００〜４００℃の蒸留特性を有するものであることを特徴とする、
請求項１から５のいずれか１項に記載の密閉型冷媒圧縮機。
【請求項７】
請求項１から６のいずれか１項に記載の密閉型冷媒圧縮機を備えていることを特徴とする、冷凍装置。
【発明の詳細な説明】
【技術分野】
【０００１】
本発明は、より低粘度の潤滑油を用いた、良好な生産性を有する密閉型冷媒圧縮機と、この密閉型冷媒圧縮機を用いた冷凍装置とに関する。
【背景技術】
【０００２】
近年、地球環境保護の観点から化石燃料の使用を少なくする高効率の冷媒圧縮機の開発が進められている。例えば、高効率化を図るために、より低粘度の潤滑油を用いることが提案されている。【０００３】
例えば、特許文献１および２には、低粘度であり、潤滑性が良く、かつ低温領域での長期安定性に優れた冷凍機用潤滑油組成物として、エステルを含有する特定組成のものが開示されている。これら潤滑油組成物は、いずれも４０℃における動粘度が６〜２８ｍｍ2 ／ｓの範囲内となっている。【０００４】
ところで、冷媒圧縮機においては、より低粘度の潤滑油を用いると、摺動部を構成する摺動部材に摩耗または焼付き等が発生することが知られている。そこで、摺動部材または潤滑油に対して耐摩耗性を付与する技術が提案されている。【０００５】
例えば、特許文献３には、低粘度の潤滑油を用いることによる摺動部材での摩耗または焼付き等を防止するために、摺動部を構成するピストンおよびコンロッドについて、これらを鉄系焼結材で構成してスチーム処理を施した上で、ピストン表面からスチーム層を切削除去し、コンロッドにはスチーム処理後の窒化処理を施す構成が開示されている。【０００６】
なお、特許文献３では、潤滑油としては、４０℃における動粘度が３〜１０ｍｍ2 ／ｓの範囲内が好ましいと記載されている。特許文献３では、潤滑油の動粘度が３ｍｍ2 ／ｓ未満であれば、冷媒が溶解したときの粘度が低くなってしまい、油膜が十分に保持されず潤滑性に乏しくなると共に、圧縮部のシール性も保てないと記載されている。【０００７】
また、特許文献４には、冷凍機油の耐摩耗性を向上するために、特定のリン化合物を潤滑油基油に所定量添加する構成が開示されている。なお、特許文献４では、潤滑油基油としては、４０℃における動粘度が３〜３００ｍｍ2 ／ｓの範囲内が好ましいと記載されている。
【先行技術文献】
【特許文献】
【０００８】
【特許文献１】特開２００６−１６０７８１号公報
【特許文献２】特開２００６−３２８２７５号公報
【特許文献３】特開２０１１−０２１５３０号公報
【特許文献４】特開２０１３−２０３９８８号公報
【発明の概要】
【発明が解決しようとする課題】
【０００９】
最近では、冷媒圧縮機用の潤滑油として、特許文献１〜４に開示される動粘度の範囲の下限を下回る、より低粘度のものを用いることが検討されている。【００１０】
ここで、潤滑油を低粘度化すると揮発性が高くなるため、低粘度化に伴って引火点が低下する。潤滑油の引火点が低下すれば、潤滑油の取扱いに際して火気に対するより厳重な注意が必要になる。しかも、潤滑油に含まれる低蒸留成分が先に蒸発して粘度が上昇するおそれがあるため、特別な保管条件が必要となる。このように、潤滑油の低粘度化は潤滑油の取扱性を低下させることになり、結果として、冷媒圧縮機の生産性も低下してしまう。【００１１】
従来では、このような潤滑油の取扱性の低下と、これに伴う冷媒圧縮機の生産性の低下については、特許文献１〜４のいずれにも全く記載がないことからも明らかなように、ほとんど検討されてこなかった。【００１２】
本発明はこのような課題を解決するためになされたものであって、より低粘度の潤滑油を用いても、良好な生産性を実現することが可能な密閉型冷媒圧縮機およびこれを備える冷凍装置を提供することを目的とする。
【課題を解決するための手段】
【００１３】
本発明に係る密閉型冷媒圧縮機は前記の課題を解決するために、密閉容器内に収容され、冷媒を圧縮する圧縮要素と、当該圧縮要素を駆動する電動要素とを備え、前記密閉容器内には潤滑油が貯留され、前記潤滑油は、少なくとも鉱油および合成油で構成される混合油であるとともに、４０℃での動粘度が０．１ｍｍ2 ／ｓ〜５．１ｍｍ2 ／ｓの範囲内であり、かつ、引火点が１１０℃以上である構成である。【００１４】
前記構成によれば、潤滑油の主成分（基油）を鉱油だけでなく合成油との混合油とした上で、鉱油および合成油を配合する際に、動粘度が前記の範囲内に入り、かつ、引火点の下限が前記値となるように調整することになる。これにより、低粘度かつ高引火点の潤滑油が得られるため、潤滑油の取扱性の低下を有効に抑制することができる。そのため、このような潤滑油を用いることで、密閉型冷媒圧縮機を高効率化できるだけでなく、より低粘度の潤滑油を用いても、良好な生産性を実現することができる。【００１５】
また、本発明には、前記構成の密閉型冷媒圧縮機を備える冷凍装置も含まれる。これにより良好な性能を有し生産性にも優れる冷凍装置を提供することができる。
【発明の効果】
【００１６】
本発明では、以上の構成により、より低粘度の潤滑油を用いても、良好な生産性を実現することが可能な密閉型冷媒圧縮機およびこれを備える冷凍装置を提供することができる、という効果を奏する。
【図面の簡単な説明】
【００１７】
【図１】本開示の実施の形態１に係る密閉型冷媒圧縮機の代表的な構成の一例を示す概略断面図である。
【図２】本開示の実施の形態２に係る冷凍装置の代表的な構成の一例を示す模式図である。
【発明を実施するための形態】
【００１８】
本開示に係る密閉型冷媒圧縮機は、密閉容器内に収容され、冷媒を圧縮する圧縮要素と、当該圧縮要素を駆動する電動要素とを備え、前記密閉容器内には潤滑油が貯留され、前記潤滑油は、少なくとも鉱油および合成油で構成される混合油であるとともに、４０℃での動粘度が０．１ｍｍ2 ／ｓ〜５．１ｍｍ2 ／ｓの範囲内であり、かつ、引火点が１１０℃以上である構成である。
【００１９】
前記構成によれば、潤滑油の主成分（基油）を鉱油だけでなく合成油との混合油とした上で、鉱油および合成油を配合する際に、動粘度が前記の範囲内に入り、かつ、引火点の下限が前記値となるように調整することになる。これにより、低粘度かつ高引火点の潤滑油が得られるため、潤滑油の取扱性の低下を有効に抑制することができる。そのため、このような潤滑油を用いることで、密閉型冷媒圧縮機を高効率化できるだけでなく、より低粘度の潤滑油を用いても、良好な生産性を実現することができる。
【００２０】
前記構成の密閉型冷媒圧縮機においては、前記潤滑油における前記合成油の含有量は、前記潤滑油全量の０．１〜４０．０重量％の範囲内であってもよい。
【００２１】
前記構成によれば、合成油の含有量を前記の範囲内にすることで、潤滑油の動粘度および引火点の下限を前記の数値範囲に容易に調整することが可能になる。
【００２２】
また、前記構成の密閉型冷媒圧縮機においては、前記合成油は、エステル油、エーテル油、ポリアルキレングリコール油、およびアルキルベンゼン油からなる群より選択される少なくともいずれか１種である構成であってもよい。
【００２３】
前記構成によれば、合成油が前記群より選択される少なくともいずれか１種であることで、鉱油に配合することで、潤滑油の動粘度および引火点の下限を前記の数値範囲に容易に調整することが可能になる。
【００２４】
また、前記構成の密閉型冷媒圧縮機においては、前記潤滑油には、さらに、極圧添加剤、油性剤、消泡剤および安定剤の少なくともいずれかの添加剤が添加されている構成であってもよい。
【００２５】
前記構成によれば、潤滑油に対して前記いずれかの添加剤を添加することで、潤滑油の性質を改善し、密閉型冷媒圧縮機の信頼性を向上することができる。
【００２６】
また、前記構成の密閉型冷媒圧縮機においては、前記添加剤の含有量は、前記潤滑油全量の０．１〜４．０重量％の範囲内である構成であってもよい。
【００２７】
前記構成によれば、潤滑油に対して添加される添加剤の含有量を前記の範囲内に調整することで、潤滑油の性質を適量の添加剤で改善することができるため、密閉型冷媒圧縮機の信頼性を向上することができる。
【００２８】
また、前記構成の密閉型冷媒圧縮機においては、前記潤滑油は、蒸留範囲が２００〜４００℃の蒸留特性を有するものである構成であってもよい。
【００２９】
前記構成によれば、潤滑油の蒸留特性が前記の蒸留範囲を有するものであれば、潤滑油の引火点の低下傾向をより一層有効に抑制できるとともに、潤滑油の安定性も良好なものとすることができるので、潤滑油の取扱性をより一層好適なものとすることができる。
【００３０】
さらに、本開示に係る冷凍装置は、前記いずれかの構成の密閉型冷媒圧縮機を備える構成である。これにより、冷凍装置は、高効率かつ良好な生産性を有する密閉型冷媒圧縮機を備えていることになるので、良好な性能を有し生産性にも優れる冷凍装置を提供することができる。
【００３１】
以下、本開示の代表的な実施の形態を、図面を参照しながら説明する。なお、以下では全ての図を通じて同一又は相当する要素には同一の参照符号を付して、その重複する説明を省略する。
【００３２】
（実施の形態１）
［冷媒圧縮機の構成］
まず、本実施の形態１に係る冷媒圧縮機の代表的な一例について、図１を参照して具体的に説明する。図１は、本実施の形態１に係る冷媒圧縮機１００の概略断面図である。
【００３３】
図１に示すように、冷媒圧縮機１００においては、密閉容器１０１内には、冷媒ガス１０２が充填されるとともに、底部には潤滑油１０３が貯留されている。本開示では、冷媒ガス１０２としては、後述するように、例えば、炭化水素系冷媒が用いられ、潤滑油１０３としては、後述するように、少なくとも鉱油および合成油で構成される混合油が用いられる。また、密閉容器１０１内には、固定子１０４および回転子１０５からなる電動要素１０６と、これによって駆動される往復式の圧縮要素１０７とが収容されている。
【００３４】
そして、圧縮要素１０７は、クランクシャフト１０８、シリンダーブロック１１２、ピストン１１５等によって構成されている。圧縮要素１０７の構成を以下に説明する。
【００３５】
クランクシャフト１０８は、回転子１０５を圧入固定した主軸部１０９と、主軸部１０９に対し偏心して形成された偏心軸１１０と、から少なくとも構成される。クランクシャフト１０８の下端には潤滑油１０３に連通する給油ポンプ１１１を備えている。
【００３６】
シリンダーブロック１１２は鋳鉄からなり、略円筒形のボアー１１３を形成するとともに、主軸部１０９を軸支する軸受部１１４を備えている。
【００３７】
また、回転子１０５にはフランジ面１１６が形成され、軸受部１１４の上端面がスラスト面１１７になっている。フランジ面１１６と軸受部１１４のスラスト面１１７との間には、スラストワッシャ１１８が挿入されている。フランジ面１１６、スラスト面１１７およびスラストワッシャ１１８でスラスト軸受１１９を構成している。
【００３８】
ピストン１１５はある一定量のクリアランスを保ってボアー１１３に遊嵌され、鉄系の材料からなり、ボアー１１３と共に圧縮室１２０を形成する。また、ピストン１１５は、ピストンピン１２１を介して連結手段であるコンロッド１２２により偏心軸１１０と連結されている。ボアー１１３の端面はバルブプレート１２３で封止されている。
【００３９】
ヘッド１２４は高圧室を形成している。ヘッド１２４は、バルブプレート１２３のボアー１１３の反対側に固定される。サクションチューブ（図示せず）は、密閉容器１０１に固定されるとともに冷凍サイクルの低圧側（図示せず）に接続され、冷媒ガス１０２を密閉容器１０１内に導く。サクションマフラー１２５は、バルブプレート１２３とヘッド１２４に挟持される。
【００４０】
電動要素１０６を構成する固定子１０４には、リード線１２６を介してクラスタ１２７が接続されている。また、密閉容器１０１には、当該密閉容器１０１の内外を貫通するターミナル１２８が設けられている。ターミナル１２８にはクラスタ１２７が連結される。これにより、商用電源（図示せず）から電動要素１０６に対して電力が供給される。
【００４１】
本開示に係る冷媒圧縮機１００で用いられる冷媒ガス１０２の種類は特に限定されないが、前述した炭化水素系冷媒が好ましく用いられる。炭化水素系冷媒としては、具体的には、例えば、Ｒ２９０（プロパン）、Ｒ６００ａ（イソブタン）、Ｒ６００（ブタン）、Ｒ１２７０（プロピレン）等が挙げられるが特に限定されない。代表的な炭化水素系冷媒としては、Ｒ６００ａまたはＲ２９０が挙げられる。
【００４２】
また、本開示に係る冷媒圧縮機１００では、後述するように、低粘度かつ高引火点の潤滑油１０３を用いており、この潤滑油１０３は、前記の通り、鉱油および合成油の混合油である。冷媒ガス１０２は、冷媒圧縮機１００を含む冷媒回路（冷凍サイクル、実施の形態２参照）で用いられ、密閉容器１０１内で冷媒ガス１０２と潤滑油１０３とは接触および混合可能な状態で存在する。それゆえ、冷媒ガス１０２および潤滑油１０３は、冷凍サイクル用作動媒体を構成していると見なすこともできる。この冷凍サイクル用作動媒体は、冷媒成分および潤滑油成分に加えて、他の成分を含んでもよい。
【００４３】
ここで、本開示に係る冷媒圧縮機１００においては、密閉容器１０１内に収容されている構成に樹脂部材が含まれている。樹脂部材は、樹脂すなわち高分子で少なくとも構成される部材であれば特に限定されない。代表的には、例えば、サクションマフラー１２５、電動要素１０６に装着される絶縁部材、クラスタ１２７等を挙げることができる。
【００４４】
これら樹脂部材は、樹脂（高分子）のみで構成されてもよいが、例えば、樹脂以外に繊維材料またはフィラー等の異種材料を含む複合材料であってもよい。例えば、クラスタ１２７としては、ガラス繊維を含有するポリエステル系樹脂で成形された部材を挙げることができる。同様にサクションマフラー１２５も、ガラス繊維を含有するポリエステル系樹脂で成形された部材を挙げることができる。
【００４５】
樹脂部材を構成する樹脂（高分子）としては特に限定されないが、具体的には、例えば、ポリエチレンテレフタレート（ＰＥＴ）またはポリブチレンテレフタレート（ＰＢＴ）等のポリエステル系樹脂、ポリアミド（ＰＡ）、ポリフェニレンスルフィド（ＰＰＳ）、液晶ポリマー（または液晶ポリエステル、ＬＣＰ）等が挙げられる。これら樹脂は、耐熱性、耐冷媒性、耐油性等に優れているため、密閉容器１０１内に収容される樹脂部材の材料として好ましく用いられる。樹脂部材を構成する樹脂材料は、１種類の樹脂であればよいが、２種類以上を適宜組み合わせたポリマーアロイ（ポリマーブレンド）が用いられてもよい。また、樹脂部材を構成する樹脂には、公知の添加剤が含まれてもよい。
【００４６】
樹脂部材に含まれる異種材料としては、前記の通り、繊維材料またはフィラー等が挙げられる。繊維材料としては、アラミド繊維、ナイロン繊維、ポリエステル繊維、ガラス繊維、カーボン繊維等が挙げられるが特に限定されない。これら繊維材料は、１種類のみを用いてもよいし２種類以上を適宜組み合わせて用いてもよい。フィラーは、粒子状または粉体状であればよいが、短繊維状であってもよい。繊維材料をフィラーと見なす場合もある。具体的なフィラーとしては、シリカ、ケイ酸塩、粘土類、石膏、アルミナ、二酸化チタン、タルク、カーボンブラック等の無機フィラーを挙げることができるが、特に限定されない。
【００４７】
このような構成を有する、本開示に係る冷媒圧縮機１００について、その動作の一例について説明する。まず、商用電源（図示せず）からターミナル１２８およびクラスタ１２７を介して電動要素１０６に電力が供給され、これにより電動要素１０６の回転子１０５が回転する。回転子１０５はクランクシャフト１０８を回転させ、偏心軸１１０の偏心運動が連結手段のコンロッド１２２からピストンピン１２１を介してピストン１１５を駆動する。
【００４８】
ピストン１１５はボアー１１３内を往復運動し、サクションチューブ（図示せず）を通して密閉容器１０１内に導かれた冷媒ガス１０２をサクションマフラー１２５から吸入し、圧縮室１２０内で圧縮する。潤滑油１０３はクランクシャフト１０８の回転に伴い、給油ポンプ１１１から各摺動部に給油され、摺動部を潤滑するとともに、ピストン１１５とボアー１１３の間においてはシールを司る。
【００４９】
［潤滑油の構成］
ここで、近年では、さらなる高効率化を図るため、潤滑油１０３としてより粘度の低いものを使用する等の対応が行われている。本開示では、冷媒圧縮機１００に用いられている潤滑油１０３が、前記の通り、少なくとも鉱油および合成油で構成される混合油である。この潤滑油１０３（混合油）は、４０℃での動粘度が０．１ｍｍ2 ／ｓ〜５．１ｍｍ2 ／ｓの範囲内であり、従来よりも相対的に低粘度である。しかも、この潤滑油１０３は、その引火点が１１０℃以上である。
【００５０】
本開示に係る潤滑油１０３は、鉱油を主成分とし合成油を副成分とするものであり、これら以外の成分を含有してもよい。したがって、本開示に係る潤滑油１０３は、鉱油および合成油を含有する潤滑油組成物である。潤滑油１０３が含有する鉱油の含有量（含有率）は特に限定されず、潤滑油１０３（潤滑油組成物）全体として見たときに「主成分」と判断できる含有量であればよい。また、潤滑油１０３が含有する合成油の含有量（含有率）も特に限定されず、潤滑油１０３（潤滑油組成物）全体として見たときに鉱油よりも含有量の少ない「副成分」となる含有量であればよい。
【００５１】
潤滑油１０３の全量を１００重量％として見たときに、副成分である合成油の含有量としては、例えば、０．１〜４０．０重量％の範囲内であればよく、１〜３５重量％の範囲内を好ましい一例として挙げることができ、５〜２５重量％の範囲内をより好ましい一例として挙げることができる。また、潤滑油１０３における主成分である鉱油の含有量は合成油よりも多ければよい。例えば、合成油の含有量が、前記の通り、潤滑油１０３全量の４０．０重量％以下であれば、鉱油の含有量は、潤滑油１０３全量の４０．０重量％を超えていればよく、例えば、５０重量％以上であってもよい。
【００５２】
本開示においては、単に潤滑油１０３を低粘度化するだけでなく、潤滑油１０３の引火点が低下しないように、鉱油に対して合成油を配合（ブレンド）する。そのため、合成油の含有量を前記の範囲内にすることで、潤滑油１０３の動粘度および引火点の下限を前述した数値範囲に容易に調整することが可能になる。
【００５３】
潤滑油１０３を構成する鉱油および合成油の種類は特に限定されない。鉱油としては、一般的には、パラフィン系鉱油、ナフテン系鉱油が挙げられるが、本開示においては、これらいずれの鉱油が用いられてもよいし、これらが混合して用いられてもよい。また、物性の異なる複数種類のパラフィン系鉱油を組み合わせて用いてもよいし、同様に、物性の異なる複数種類のナフテン系鉱油を組み合わせて用いてもよいし、異なるパラフィン系鉱油の組合せと異なるナフテン系鉱油の組合せとを混合して用いてもよい。
【００５４】
合成油としては、具体的には、例えば、ポリアルファオレフィン油、アルキルベンゼン油、エステル油、エーテル油、ポリアルキレングリコール油、フッ素系合成油、シリコン系合成油等が挙げられるが、特に限定されない。これら合成油は、１種類のみを選択して鉱油に配合してもよいし、複数種類を組み合わせて鉱油に配合してもよい。
【００５５】
これらの中でも、本開示においては、特に、エステル油、エーテル油、ポリアルキレングリコール油、およびアルキルベンゼン油からなる群より選択される少なくともいずれか１種を用いることが好ましい。これら合成油の少なくともいずれか１種を鉱油に配合することで、潤滑油１０３の動粘度および引火点の下限を前記の数値範囲に容易に調整することが可能になる。また、合成油の種類によっては、潤滑油１０３に対して、前述した動粘度および引火点の下限以外の特性を付与することが可能となる。例えば、合成油として極性を有するエステル油を選択して鉱油に配合することで、潤滑油１０３に極性を付与することが可能となる。
【００５６】
本開示においては、少なくとも鉱油および合成油を混合して潤滑油１０３を製造することにより、前記の通り、４０℃における動粘度を０．１ｍｍ2 ／ｓ〜５．１ｍｍ2 ／ｓの範囲内に調整するとともに、引火点を１１０℃以上に調整している。ここで、潤滑油１０３の４０℃における動粘度は前記の範囲内であれば特に限定されないものの、例えば、０．１ｍｍ2 ／ｓ〜４．５ｍｍ2 ／ｓの範囲内を好ましい一例として挙げることができ、０．１ｍｍ2 ／ｓ以上３．０ｍｍ2 ／ｓ未満の範囲内をより好ましい一例として挙げることができる。なお、本開示における動粘度は、ＪＩＳ  Ｋ２２８３に基づいて測定したものである。
【００５７】
潤滑油１０３の４０℃における動粘度が５．１ｍｍ2 ／ｓを超えると、潤滑油１０３をより低粘度化していることにならないため、低粘度化による高効率化の効果が十分に得られない。一方、４０℃における動粘度が０．１ｍｍ2 ／ｓ未満であれば、潤滑油１０３としての潤滑効果を十分に得られないおそれがある。
【００５８】
同様に、本開示においては、潤滑油１０３の引火点の下限は１１０℃以上であれば特に限定されないものの、例えば、１２０℃以上を好ましい一例として挙げることができ、１５０℃以上をより好ましい一例として挙げることができる。なお、本開示における引火点は、ＪＩＳ  Ｋ２２６５に基づいて測定したものである。潤滑油１０３の引火点の下限が１１０℃未満であれば、潤滑油１０３の取扱いに際して火気に対するより厳重な注意が必要になるとともに、特別な保管条件を満たさなければ経時的に粘度が上昇するおそれがある。それゆえ、潤滑油１０３の取扱性が低下する。
【００５９】
具体的には、潤滑油１０３の引火点が低下すれば、潤滑油１０３に含まれる低蒸留成分が多くなる。そのため、通常の条件で保管すると、潤滑油１０３に含まれる低蒸留成分が先に蒸発して粘度が経時的に上昇するおそれがある。一般的な潤滑油１０３は、低真空かつ高温の条件、例えば、１０-2Ｐａ雰囲気かつ４０〜６０℃の温度範囲で保管するが、潤滑油１０３の引火点が低ければ、このような低真空かつ高温の条件では、低蒸留成分が蒸発して経時的に粘度が上昇する。そのため、化学フィルターを用いた特別な保管条件が必要となる。
【００６０】
ここで、潤滑油１０３においては、４０℃における動粘度の範囲と、引火点の下限値だけでなく、さらに、所定の蒸留特性を満たすことがより好ましい。具体的には、本開示に係る潤滑油１０３は、蒸留範囲が２００〜４００℃の蒸留特性（すなわち初留点が２００℃で終点が４００℃の蒸留特性）を有するものであることが好ましい。なお、本開示における蒸留特性は、ＪＩＳ  Ｋ２２５４に基づいて測定したものである。
【００６１】
鉱油は基本的には多数種類の油状物質の混合物であるため、幅広い蒸留特性を有するが、合成油は基本的には合成された単独種類（もしくは数種類）の化合物で構成されているため、その蒸留特性は一点（もしくは数点）に特定される。それゆえ、鉱油に合成油を配合することで、混合油である潤滑油１０３の蒸留特性を前記の蒸留範囲に調整することが可能となる。なお、必要に応じて、鉱油についても前記の蒸留範囲に入るように精製してもよい。
【００６２】
本開示においては、潤滑油１０３が、４０℃における動粘度の範囲および引火点の下限値という基本条件に加えて、前記の蒸留特性という条件を満たしていれば、潤滑油１０３に含まれる低蒸留成分をより少なくすることができる。それゆえ、潤滑油１０３の引火点の低下傾向をより一層有効に抑制できるとともに、潤滑油１０３の安定性も良好なものとすることができる。その結果、潤滑油１０３の取扱性をより一層好適なものとすることができる。
【００６３】
本開示に係る潤滑油１０３は、前記の通り、鉱油および合成油により構成される潤滑油組成物であり、鉱油および合成油以外の他の成分を含んでもよい。具体的な他の成分としては、潤滑油１０３の分野で公知の各種の添加剤を挙げることができる。
【００６４】
具体的な添加剤としては、特に限定されないが、例えば、極圧添加剤、油性剤、消泡剤および安定剤の少なくともいずれかを挙げることができる。鉱油および合成油の混合油に対して、これら添加剤を添加することで、潤滑油１０３の性質を改善し、冷媒圧縮機１００の信頼性を向上することができる。
【００６５】
これら添加剤の添加量（含有量）は特に限定されないが、本開示においては、いずれの添加剤も、潤滑油１０３全量の０．１〜４．０重量％の範囲内で添加されていればよい。添加剤の含有量が潤滑油１０３全量の０．１重量％未満であれば、添加剤の種類にもよるが、添加量が少なすぎて添加剤による効果が十分に得られないおそれがある。これに対して、添加剤の含有量が潤滑油１０３全量の４．０重量％を超えると、添加剤の種類にもよるが、添加量に見合った添加剤による効果が得られなくなるだけでなく、添加剤の含有量が過剰になることで、潤滑油１０３の他の物性に影響を及ぼすおそれがある。
【００６６】
本開示においては、代表的な添加剤として安定剤を挙げることができる。安定剤の添加により、低粘度かつ高引火点の潤滑油１０３の物性を良好に安定化することができる。本開示においては、安定剤としては、酸捕捉剤またはフラーレンを挙げることができる。
【００６７】
酸捕捉剤は、水または酸素により基油（鉱油および合成油で構成される混合油）が劣化して酸価が上昇することを抑制するために用いられる。酸捕捉剤の添加により基油である混合油の劣化を抑制することで、潤滑油１０３の４０℃における動粘度が前記の範囲内から外れることを有効に抑制することができる。
【００６８】
なお、酸捕捉剤の具体的な種類は特に限定されず、公知のものを好適に用いることができる。また、フラーレンは、潤滑油１０３の引火点の低下を抑制する作用を有するため「引火点低下抑制剤」として用いることができる。それゆえ、フラーレンの添加により潤滑油１０３における引火点をより一層有効に抑制することができる。
【００６９】
安定剤である酸捕捉剤および／またはフラーレンの添加量は、前記の通り、潤滑油１０３全量の０．１〜４．０重量％の範囲内であればよい。これら安定剤の添加量（含有量）を前記の範囲内に調整することで、潤滑油１０３の性質を適量の安定剤で改善することができるため、冷媒圧縮機１００の信頼性をより一層向上することができる。
【００７０】
このように、本開示に係る冷媒圧縮機１００では、密閉容器１０１内に電動要素１０６および圧縮要素１０７等が収容されるとともに潤滑油１０３が貯留され、この潤滑油１０３は、少なくとも鉱油および合成油で構成される混合油であり、その４０℃での動粘度が０．１ｍｍ2 ／ｓ〜５．１ｍｍ2 ／ｓの範囲内であり、かつ、引火点が１１０℃以上である。
【００７１】
このような潤滑油１０３は、基油を鉱油だけでなく合成油との混合油とした上で、鉱油および合成油を配合する際に、動粘度が前記の範囲内に入り、かつ、引火点の下限が前記値となるように調整することになる。これにより、低粘度かつ高引火点の潤滑油１０３が得られるため、潤滑油１０３の取扱性の低下を有効に抑制することができる。そのため、このような潤滑油１０３を用いることで、冷媒圧縮機１００を高効率化できるだけでなく、より低粘度の潤滑油１０３を用いても、良好な生産性を実現することができる。
【００７２】
なお、本実施の形態１では、冷媒圧縮機１００は、電動要素１０６が圧縮要素１０７の上方に配置された構成を有するものであるが、本開示に係る冷媒圧縮機は、電動要素１０６が圧縮要素１０７の下方に配置された構成を有するものであってもよいことは言うまでもない。本開示が適用可能な冷媒圧縮機は、前述した潤滑油１０３を用いることが可能な構成であれば、本実施の形態１で説明する作用効果と同様の作用効果を得ることができる。
【００７３】
また、本実施の形態１では、冷媒圧縮機１００は、前記の通りレシプロ式（往復動式）であるが、本開示に係る冷媒圧縮機は、レシプロ式に限定されず、回転式、スクロール式、振動式等のように、公知の他の構成であってもよいことは言うまでもない。本開示が適用可能な冷媒圧縮機は、前述した潤滑油１０３を用いることが可能な構成であれば、本実施の形態１で説明する作用効果と同様の作用効果を得ることができる。
【００７４】
さらに、本実施の形態１では、冷媒圧縮機１００は、商用電源によって駆動されるものであるが、本開示に係る冷媒圧縮機は、これに限定されず、例えば、複数の運転周波数でインバータ駆動されるものであってもよい。冷媒圧縮機がこのような構成であっても、前述した潤滑油１０３を用いることで、良好な潤滑性が実現できる。それゆえ、各摺動部に給油量が少なくなるような低速運転時、あるいは、電動要素の回転数が増加する高速運転時においても、冷媒圧縮機の信頼性を向上させることができる。
【００７５】
（実施の形態２）
本実施の形態２では、前記実施の形態１で説明した冷媒圧縮機１００を備える冷凍装置の一例について、図２を参照して具体的に説明する。図２は、前記実施の形態１に係る冷媒圧縮機１００を備える冷凍装置２００の概略構成を模式的に示している。そのため、本実施の形態２では、冷凍装置２００の基本構成の概略についてのみ説明するが、冷凍装置２００の具体的構成はこれに限定されないことはいうまでもない。
【００７６】
図２に示すように、本実施の形態２に係る冷凍装置２００は、本体２０６、区画壁２０９、および冷媒回路２０１（冷凍サイクル）等を備えている。本体２０６は、断熱性の箱体および扉体等により構成されており、箱体はその一面が開口した構成であり、扉体は箱体の開口を開閉する構成である。本体２０６の内部は、区画壁２０９により物品の貯蔵空間２０７と機械室２０８とに区画される。貯蔵空間２０７内には、図示しない送風機が設けられている。なお、本体２０６の内部は、貯蔵空間２０７および機械室２０８以外の空間等に区画されてもよい。
【００７７】
冷媒回路２０１（冷凍サイクル）は、貯蔵空間２０７内を冷却する構成であり、例えば、前記実施の形態１で説明した冷媒圧縮機１００と、放熱器２０２と、減圧装置２０３と、吸熱器２０４とを備え、これらが環状に配管２０５で接続された構成となっている。吸熱器２０４は、貯蔵空間２０７内に配置されている。吸熱器２０４の冷却熱は、図２の破線の矢印で示すように、図示しない送風機によって貯蔵空間２０７内を循環するように撹拌される。これにより貯蔵空間２０７内は冷却される。
【００７８】
このように、本実施の形態２に係る冷凍装置２００は、前記実施の形態１に係る冷媒圧縮機１００を含む冷媒回路２０１を備えている。冷媒圧縮機１００は、前記実施の形態１で説明したように、低粘度かつ高引火点の潤滑油１０３を用いているので、高効率化されたものとなっている。それゆえ、本実施の形態２に係る冷凍装置２００は、消費電力を低減することができるので、省エネルギー化を実現することができるとともに、信頼性も向上させることができる。
【００７９】
なお、本実施の形態２で説明した冷凍装置２００は、本開示に係る冷凍装置（本開示に係る冷媒圧縮機を備える冷凍装置）の一例であり、本開示は、この冷凍装置２００に限定されないことはいうまでもない。本開示に係る冷凍装置としては、例えば、冷蔵庫（家庭用、業務用）、除湿器、ショーケース、製氷機、ヒートポンプ式給湯機、ヒートポンプ式洗濯乾燥機、自動販売機、エアーコンディショナー等を挙げることができる。
【００８０】
なお、本発明は前記実施の形態の記載に限定されるものではなく、特許請求の範囲に示した範囲内で種々の変更が可能であり、異なる実施の形態や複数の変形例にそれぞれ開示された技術的手段を適宜組み合わせて得られる実施の形態についても本発明の技術的範囲に含まれる。
【００８１】
また、上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【００８２】
本発明は、低粘度の潤滑油を用いる冷媒圧縮機と、このような冷媒圧縮機を用いた冷凍装置の分野に広く好適に用いることができる。
【符号の説明】
【００８３】
１００    冷媒圧縮機
１０１    密閉容器
１０２    冷媒ガス
１０３    潤滑油
１０４    固定子
１０５    回転子
１０６    電動要素
１０７    圧縮要素
２００    冷凍装置
２０１    冷媒回路
２０２    放熱器
２０３    減圧装置
２０４    吸熱器
２０５    配管
【図１】
2018199204.tif 000003
【図２】
2018199204.tif 000004
【国際調査報告】
2018199204.tif 000005
2018199204.tif 000006
2018199204.tif 000007
2018199204.tif 000008